(57)【特許請求の範囲】
【請求項１】
互いに相対的に変位する一対の部材のうちの一方の部材に取付けることができるようになっている基体と、この基体に固着されていると共に貫通孔を有した支持体と、この支持体の貫通孔を通って伸長していると共に支持体に対して軸方向に可動であって一対の部材のうちの他方の部材に取付けることができるようになっているロッドと、支持体の貫通孔において支持体とロッドとの間に介在された円筒部を有していると共に基体に対するロッドの軸方向の相対的な移動に対して不動に固定された摩擦部材と、支持体と摩擦部材の円筒部との間に介在されていると共に弾性変形可能な少なくとも一つの可変形部材と、摩擦部材の円筒部をロッドに締め付ける締め付け手段とを具備しており、摩擦部材の円筒部は、径方向の外周面側に配された網状体の基材と、この基材の網目を充填すると共に当該基材の一方の面に形成された合成樹脂製の滑り層とを具備しており、滑り層は、ロッドとその軸方向に摺動自在に接触するように円筒部の径方向の内周面側に配されており、支持体の貫通孔及び摩擦部材の円筒部は縮径自在であり、締め付け手段は、支持体の貫通孔を縮径させて可変形部材を介して摩擦部材の円筒部を縮径させ、当該円筒部をロッドに締め付けるようになっている摩擦ダンパ。
【請求項２】
支持体は、貫通孔に連通するスリットを有して縮径自在になっている請求項１に記載の摩擦ダンパ。
【請求項３】
締め付け手段は、スリットの幅を縮小できるように支持体に螺合したボルトを有している請求項２に記載の摩擦ダンパ。
【請求項４】
支持体は、二分割体にされて縮径自在になっている請求項１に記載の摩擦ダンパ。
【請求項５】
締め付け手段は、二分割体間の隙間の幅を縮小できるように支持体に螺合したボルトを有している請求項４に記載の摩擦ダンパ。
【請求項６】
摩擦部材の円筒部は、軸方向のその一端面から他端面まで伸びたスリットを有して縮径自在になっている請求項１から５のいずれか一項に記載の摩擦ダンパ。
【請求項７】
摩擦部材の円筒部は、二分割体にされて縮径自在になっている請求項１から５のいずれか一項に記載の摩擦ダンパ。
【請求項８】
摩擦部材は、円筒部に加えて、当該円筒部に一体形成された鍔部を具備しており、この鍔部において基体に対するロッドの軸方向の相対的な移動に対して不動に固定されている請求項１から７のいずれか一項に記載の摩擦ダンパ。
【請求項９】
軸方向に並んだ複数個の支持体を具備しており、各支持体に対して締め付け手段及び摩擦部材を具備している請求項１から８のいずれか一項に記載の摩擦ダンパ。
【請求項１０】
軸方向に並んだ複数個の支持体を具備しており、各支持体に対して締め付け手段及び摩擦部材を具備しており、各摩擦部材は、円筒部に加えて、当該円筒部に一体形成された鍔部を具備しており、この鍔部において隣接する支持体に挟まれて基体に対するロッドの軸方向の相対的な移動に対して不動に固定されている請求項１から７のいずれか一項に記載の摩擦ダンパ。
【請求項１１】
基材は、エキスパンドメタル又は金網からなる請求項１から１０のいずれか一項に記載の摩擦ダンパ。
【請求項１２】
滑り層は、ポリイミド樹脂を含んでいる請求項１から１１のいずれか一項に記載の摩擦ダンパ。
【請求項１３】
滑り層は、四ふっ化エチレン樹脂を含んでいる請求項１から１２のいずれか一項に記載の摩擦ダンパ。
【請求項１４】
基体は、筒体と、この筒体の一端部に固着されていると共にロッドが貫通する貫通孔を有した一方の蓋体と、筒体の他端部に固着されていると共に一方の部材に取付けるための取付具が取付けられる他方の蓋体とを具備しており、支持体は、筒体の内周面に固着されている請求項１から１３のいずれか一項に記載の摩擦ダンパ。
【請求項１５】
可変形部材は、スリットを有して縮径自在になっている請求項１から１４のいずれか一項に記載の摩擦ダンパ。
【請求項１６】
可変形部材は、二分割体にされて縮径自在になっている請求項１から１４のいずれか一項に記載の摩擦ダンパ。
【請求項１７】
可変形部材は、ゴム板、銅板又はエンボス板からなる請求項１から１６のいずれか一項に記載の摩擦ダンパ。
【請求項１８】
支持体と摩擦部材の円筒部との間に複数の可変形部材が重ね合わされて介在されている請求項１から１７のいずれか一項に記載の摩擦ダンパ。
【請求項１９】
ロッドは、外周面に円筒面を有した中実又は中空の部材からなる請求項１から１８のいずれか一項に記載の摩擦ダンパ。
【発明の詳細な説明】
【０００１】
【発明の属する技術分野】
本発明は、互いに相対的に変位する一対の部材間に取付けられて部材間の変位エネルギを摩擦により吸収して当該変位を可及的速やかに減衰させる摩擦ダンパ、特に、事務所ビル、集合住宅、戸建住宅、橋梁等の構造物に地震等で生じる振動エネルギを吸収して当該振動を可及的速やかに減衰させる摩擦ダンパに関する。
【０００２】
【従来の技術】
構造物に地震等で生じる横揺れ等の振動を早く減衰させるダンパとしては、粘性体の粘性変形を用いたもの、鉛、鋼棒等の塑性変形を用いたもの、滑り部材の摩擦を用いたもの等が知られている。
【０００３】
【特許文献１】
特公昭３９−２２４４４号公報
【特許文献２】
特開平５−２４８４６８号公報
【特許文献３】
実開昭６３−１１５６４２号公報
【特許文献４】
実開平２−１２２２３５号公報
【０００４】
【発明が解決しようとする課題】
粘性体を用いるダンパでは、粘性体の充填作業に多くの時間を要する上に漏出を防止するためにしっかりとしたシールを施す必要があり、鉛、鋼棒等を用いるダンパでは、鉛による環境汚染の虞がある上に、鉛、鋼棒等の両端を互いに相対的に変位する一対の部材の夫々にしっかりと保持することが要求される。
【０００５】
一方、滑り部材を用いるダンパでは、滑り部材の摩耗による特性劣化の虞がある上に、滑り部材の滑り層が剥離されてこれによっても特性劣化が生じる虞がある。
【０００６】
本発明は、前記諸点に鑑みてなされたものであって、その目的とするところは、簡単な構成であって、しかも、摩耗及び滑り層の剥離を極力低減できて、而して長期に亘って安定な減衰特性を得ることができる摩擦ダンパを提供することにある。
【０００７】
【課題を解決するための手段】
本発明の第一の態様の摩擦ダンパは、互いに相対的に変位する一対の部材のうちの一方の部材に取付けることができるようになっている基体と、この基体に固着されていると共に貫通孔を有した支持体と、この支持体の貫通孔を通って伸長していると共に支持体に対して軸方向に可動であって一対の部材のうちの他方の部材に取付けることができるようになっているロッドと、支持体の貫通孔において支持体とロッドとの間に介在された円筒部を有していると共に基体に対するロッドの軸方向の相対的な移動に対して不動に固定された摩擦部材とを具備しており、ここで、摩擦部材の円筒部は、径方向の外周面側に配された網状体の基材と、この基材の網目を充填すると共に当該基材の一方の面に形成された合成樹脂製の滑り層とを具備しており、滑り層は、ロッドとその軸方向に摺動自在に接触するように円筒部の径方向の内周面側に配されている。
【０００８】
第一の態様の摩擦ダンパによれば、摩擦部材の基材が網状体であって、摩擦部材の滑り層が基材の網目を充填して当該基材の一方の面に形成され、斯かる滑り層がロッドとその軸方向に摺動自在に接触するように円筒部の径方向の内周面側に配されているために、ロッドとの間での摩耗を極力避け得て安定な摩擦を得ることができる上に滑り層の剥離を避けることができ、而して、長期に亘って安定な減衰特性を得ることができる。
【０００９】
本発明の第二の態様の摩擦ダンパは、第一の態様の摩擦ダンパにおいて、摩擦部材の円筒部をロッドに締め付ける締め付け手段を更に具備しており、ここで、支持体の貫通孔及び摩擦部材の円筒部は縮径自在であり、締め付け手段は、支持体の貫通孔の縮径を介して摩擦部材の円筒部を縮径させ、当該円筒部をロッドに締め付けるようになっている。
【００１０】
第二の態様の摩擦ダンパによれば、締め付け手段により摩擦部材の円筒部をロッドに最適に調節して締め付けることができるために、簡単な作業で相対変位する一対の部材に対して最適な摩擦抵抗を得ることができる。
【００１１】
支持体は、好ましくは本発明の第三の態様の摩擦ダンパのように、貫通孔に連通するスリットを有して縮径自在になっており、この場合、締め付け手段は、好ましくは本発明の第四の態様の摩擦ダンパのように、スリットの幅を縮小できるように支持体に螺合したボルトを有している。
【００１２】
また支持体は、好ましくは本発明の第五の態様の摩擦ダンパのように、二分割体にされて縮径自在になっており、この場合、締め付け手段は、好ましくは本発明の第六の態様の摩擦ダンパのように、二分割体間の隙間の幅を縮小できるように支持体に螺合したボルトを有している。
【００１３】
摩擦部材の円筒部は、好ましい例では、本発明の第七の態様の摩擦ダンパのように、軸方向のその一端面から他端面まで伸びたスリットを有して縮径自在になっているか、又は本発明の第八の態様の摩擦ダンパのように、二分割体にされて縮径自在になっている。
【００１４】
本発明において、摩擦部材は、好ましくはその第九の態様の摩擦ダンパのように、円筒部に加えて、当該円筒部に一体形成された鍔部を具備しており、この鍔部において基体に対するロッドの軸方向の相対的な移動に対して不動に固定されている。
【００１５】
なお、基体に固着される支持体の貫通孔において当該支持体の内周面に環状溝を形成して、この環状溝に摩擦部材を嵌合させ、これにより、上記に代えて又は上記と共に、基体に対するロッドの軸方向の相対的な移動に対して摩擦部材を不動に固定してもよい。
【００１６】
本発明の第十の態様の摩擦ダンパは、上記の第二から第九のいずれかの態様の摩擦ダンパにおいて、軸方向に並んだ複数個の支持体を具備しており、各支持体に対して締め付け手段及び摩擦部材を具備している。
【００１７】
第十の態様の摩擦ダンパによれば、複数個の摩擦部材でもって変位エネルギを吸収するようになるために、各摩擦部材の負荷を低減できる結果、これによっても長期に亘って安定な減衰特性を得ることができる。
【００１８】
本発明の摩擦ダンパは、斯かる複数個の支持体及び摩擦部材を具備したものに限定されず、一個の長尺の支持体と一個の長尺の摩擦部材とを具備したものであってもよく、この場合には、一個の長尺の支持体を介して複数個のボルト等からなる締め付け手段により一個の摩擦部材の長尺の円筒部をロッドに締め付けるようにしてもよい。
【００１９】
本発明の第十一の態様の摩擦ダンパは、第二から第八のいずれかの態様の摩擦ダンパにおいて、軸方向に並んだ複数個の支持体を具備しており、各支持体に対して締め付け手段及び摩擦部材を具備しており、各摩擦部材は、円筒部に加えて、当該円筒部に一体形成された鍔部を具備しており、この鍔部において隣接する支持体に挟まれて基体に対するロッドの軸方向の相対的な移動に対して不動に固定されている。
【００２０】
本発明の第十一の態様の摩擦ダンパによれば、第十の態様の摩擦ダンパと同様に、複数個の摩擦部材でもって変位エネルギを吸収するようになるために、各摩擦部材の負荷を低減できる結果、これによっても長期に亘って安定な減衰特性を得ることができる上に、各摩擦部材が鍔部において隣接する支持体に挟まれて基体に対するロッドの軸方向の相対的な移動に対して不動に固定されているために、各摩擦部材をしっかりと固定できて、支持体に対して摩擦部材がずれるような不都合をなくし得る。
【００２１】
基材は、好ましくは本発明の第十二の態様の摩擦ダンパのように、金属シート、好ましくは燐青銅製の金属シートに多数のスリットを切り込み、この多数のスリットが切り込まれた燐青銅製の金属シートを切り込み方向と直交する方向に引き伸ばしてなるエキスパンドメタル又はオーステナイト系のＳＵＳ３０４、ＳＵＳ３１６、フェライト系のＳＵＳ４３０などのステンレス鋼線、鉄線（ＪＩＳ−Ｇ−３５３２）、亜鉛メッキ鉄線（ＪＩＳ−Ｇ−３５４７）、銅−ニッケル合金（白銅）線、銅−ニッケル−亜鉛合金（洋白）線、黄銅線若しくはベリリウム銅線等からなる金属細線を１本又は２本以上使用して織ったり、編んだりして形成される金網からなる。
【００２２】
滑り層は、好ましくは本発明の第十三の態様の摩擦ダンパのように、ポリイミド樹脂を含んでおり、本発明の第十四の態様の摩擦ダンパのように、四ふっ化エチレン樹脂を含んでいる。
【００２３】
本発明の第十五の態様の摩擦ダンパでは、第一から第十四のいずれかの態様の摩擦ダンパにおいて、基体は、筒体と、この筒体の一端部に固着されていると共にロッドが貫通する貫通孔を有した一方の蓋体と、筒体の他端部に固着されていると共に一方の部材に取付けるための取付具が取付けられる他方の蓋体とを具備しており、ここで、支持体は、筒体の内周面に固着されている。
【００２４】
本発明において、摩擦部材としては、上記の多数の網目をもったエキスパンドメタル又は金網からなる金属シート（網状金属シート）の一方の面に、金属シートの網目を充填するようにしてポリイミド樹脂若しくは四ふっ化エチレン樹脂又はこれらの混合したものからなる滑り層を形成した後に、一方の面に斯かる滑り層が形成された金属シートを短冊状に切断し、この短冊状の金属シートを滑り層が内周側になるようにして一回巻回して、金属シートの互いの突き合わせ端の間で形成される一端面から他端面まで伸びたスリットを有した円筒体を形成し、その後、この円筒体をプレス成形して円筒部と鍔部とを一体的に有したものが好適である。
【００２５】
本発明の第十六の態様の摩擦ダンパは、第一から第十五のいずれかの態様の摩擦ダンパにおいて、支持体と摩擦部材の円筒部との間に介在されている少なくとも一つの可変形部材を更に具備している。
【００２６】
本発明において第十六の態様の摩擦ダンパのように可変形部材を具備していると、摩擦部材の円筒部をロッドに均一に接触させることができる。
【００２７】
可変形部材は、好ましくは、本発明の第十七の態様の摩擦ダンパのように、スリットを有して縮径自在になっているか、本発明の第十八の態様の摩擦ダンパのように、二分割体にされて縮径自在になっている。
【００２８】
可変形部材は、本発明の第十九の態様の摩擦ダンパのように、特に、締め付け手段による摩擦部材の円筒部のロッドへの締め付けにおいて、その変形性により摩擦部材の円筒部をロッドに均一に接触させることができるゴム板、銅板又はエンボス板からなっているとよい。
【００２９】
可変形部材は、支持体と摩擦部材の円筒部との間に一個だけ介在されていてもよいが、これに代えて、本発明の第二十の態様の摩擦ダンパのように、複数の可変形部材が支持体と摩擦部材の円筒部との間に重ね合わされて介在されていてもよい。
【００３０】
ロッドは、好ましくは、本発明の第二十一の態様の摩擦ダンパのように、外周面に円筒面を有した中実の部材又は中空の部材からなっている。
【００３１】
次に本発明の実施の形態を、図に示す好ましい例に基づいて更に詳細に説明する。なお、本発明はこれら例に何等限定されないのである。
【００３２】
【発明の実施の形態】
図１から図５において、本例の摩擦ダンパ１は、基体２と、夫々が、基体２の長尺部材３５に固着されていると共に貫通孔３を有して軸方向Ｘに並んだ複数個、本例では三個の支持体４、５及び６と、支持体４、５及び６の夫々の貫通孔３を通って伸長していると共に支持体４、５及び６に対して軸方向Ｘに可動であるロッド７と、夫々が、支持体４、５及び６の対応の貫通孔３において支持体４、５及び６の夫々とロッド７の円柱状の本体部８５との間に介在された円筒部８を有していると共に基体２に対するロッド７の軸方向Ｘの相対的な移動に対して不動に固定されて、支持体４、５及び６の夫々に対して設けられた摩擦部材９、１０及び１１と、摩擦部材９、１０及び１１の夫々の円筒部８をロッド７の本体部８５に締め付けるように支持体４、５及び６の夫々に対して設けられた締め付け手段１２、１３及び１４とを具備している。
【００３３】
基体２は、軸方向Ｘに伸びた矩形状の筒体２１と、筒体２１の一端部２２の内面にねじ２３により固着されていると共にロッド７の本体部８５が貫通する貫通孔２４を有した一方の蓋体２５と、筒体２１の他端部２６の内面にねじ２７により固着されていると共にＵ字状の取付具２８がボルト２９により取付けられた他方の蓋体３０とを具備しており、筒体２１は、断面コ字状の長尺部材３５と、長尺部材３５の開口面を閉塞するように、蓋体２５及び蓋体３０に両端でねじ３６により取付けられた板部材３７とを具備しており、互いに相対的に変位する一対の部材のうちの一方の部材、例えば図７に示すように構造物としての戸建住宅の下梁３８に基体２を取付けるための取付具２８は、軸挿通用の貫通孔３９を有している。
【００３４】
基体２は、蓋体３０により、取付具２８の貫通孔３９に挿通された軸部材４０を介して下梁３８に回動自在に取付けることができるようになっている。
【００３５】
支持体４、５及び６の夫々は、互いに同様に形成されているので、以下、支持体４について詳細に説明し、支持体５及び６については必要に応じて説明する。
【００３６】
概略直方体状の支持体４は、貫通孔３に加えて、特に図３に示すように、貫通孔３が縮径自在になるように貫通孔３に連通するスリット（切り込み）４１を有しており、更に、支持体４は、雌ねじ孔４２と、雌ねじ孔４２に対面して雌ねじ孔４２と一列に配されたねじ挿入孔４３とを有して、筒体２１の長尺部材３５の内周面にねじ４４により固着されている。
【００３７】
摩擦部材９、１０及び１１の夫々は、互いに同様に形成されているので、以下、摩擦部材９について詳細に説明し、摩擦部材１０及び１１については必要に応じて説明する。
【００３８】
摩擦部材９は、特に図４に示すように、円筒部８に加えて、円筒部８に一体形成された鍔部５１を具備しており、鍔部５１は、隣接する支持体５の貫通孔３において支持体５とロッド７の本体部８５との間に介在された円筒部８を有した摩擦部材１０の鍔部５１と重ね合わされて支持体４及び５の互いに対面する側面５２及び５３間に当該側面５２及び５３に挟持されて配されており、こうして摩擦部材９は、鍔部５１において基体２に対するロッド７の軸方向Ｘの相対的な移動に対して不動に固定されている。
【００３９】
なお、支持体６の貫通孔３において支持体６とロッド７の本体部８５との間に介在された円筒部８を有した摩擦部材１１は、支持体６と支持体６に隣接した蓋体２５との互いに対面する側面５４及び５５間に当該側面５４及び５５に挟持されて配された鍔部５１において基体２に対するロッド７の軸方向Ｘの相対的な移動に対して不動に固定されている。
【００４０】
摩擦部材９は、図６に示すように、多数の網目６１をもったエキスパンドメタル又は金網６２からなる金属シート（網状金属シート）の一方の面に、金属シートの網目６１を充填するようにしてポリイミド樹脂若しくは四ふっ化エチレン樹脂又はこれらの混合したものからなる滑り層６３を形成した後に、一方の面に斯かる滑り層６３が形成された金属シートを短冊状に切断し、この短冊状の金属シートを滑り層６３が内周側になるようにして一回巻回して、金属シートの互いの突き合わせ端６４及び６５の間で形成される一端面から他端面まで伸びたスリットを有した円筒体を形成し、その後、この円筒体をプレス成形することにより、径方向の外周面側に配された網状体の基材としてのエキスパンドメタル又は金網６２と、この網状体の基材としてのエキスパンドメタル又は金網６２の網目６１を充填すると共に当該エキスパンドメタル又は金網６２の一方の面に形成され且つ径方向の内周面側に配された合成樹脂製の滑り層６３とを具備した円筒部８及び円筒部８に一体形成された鍔部５１をもって製作される。
【００４１】
こうして製作された摩擦部材９の円筒部８は、軸方向Ｘのその一端面７１から他端面７２まで伸びたスリット７３を有して縮径自在になっており、摩擦部材９の鍔部５１もまた、スリット７３と連続して径方向に伸びるスリット７４を有しており、これにより円筒部８を縮径自在となるようにしている。
【００４２】
摩擦部材９において、ポリイミド樹脂及び四ふっ化エチレン樹脂のうちの少なくとも一方を含んでいる滑り層６３は、ロッド７の本体部８５とその軸方向Ｘに摺動自在に接触するように円筒部８の径方向の内周面側に配されている。
【００４３】
締め付け手段１２、１３及び１４の夫々もまた、互いに同様に形成されているので、以下、締め付け手段１２について詳細に説明し、締め付け手段１３及び１４については必要に応じて説明する。
【００４４】
締め付け手段１２は、スリット４１の幅を縮小できるように、ねじ挿入孔４３を介して支持体５に挿入されて支持体５の雌ねじ孔４２に螺合したボルト８１を有しており、ボルト８１を回して雌ねじ孔４２との螺合状態を変えることにより、スリット４１の幅を縮小して支持体５の貫通孔３を縮径し、この縮径を介して摩擦部材９の円筒部８を縮径させ、円筒部８をロッド７の本体部８５に締め付けるようになっている。
【００４５】
ロッド７は、円柱状の本体部８５と、本体部８５の軸方向Ｘの両端部に一体的に形成されたねじ部８６及び８７とを具備しており、ねじ部８６には、抜け止め用のナット８８が螺合されており、ねじ部８７には、ねじ部８７に螺合したナット８９を介して軸部材挿通用の貫通孔９０を有したＵ字状の取付具９１が取付けられている。
【００４６】
ロッド７は、ねじ部８７により、互いに相対的に変位する一対の部材のうちの他方の部材、例えば図７に示すように構造物としての戸建住宅の上梁９２に取付具９１の貫通孔９０に挿通された軸部材９３を介して回動自在に取付けることができるようになっている。
【００４７】
以上の摩擦ダンパ１は、図７に示すように、基体２が取付具２８、軸部材４０及び取付板９５を介して、柱９６間に張設された下梁３８に回動自在に、ロッド７が取付具９１、軸部材９３及び取付板９７を介して、柱９６間に張設された上梁９２に回動自在に夫々取付けられて用いられる。
【００４８】
地震により下梁３８に対して上梁９２が横方向Ｈに相対的に変位すると、ロッド７は、基体２に対して軸方向Ｘに相対的に移動する。ロッド７の基体２に対する軸方向Ｘの相対的な移動において、摩擦部材９の円筒部８とロッド７の本体部８５との間の摩擦により、斯かる相対的な移動エネルギ、換言すれば下梁３８に対する上梁９２の横方向Ｈの相対的な変位エネルギが吸収されて、早期に下梁３８に対する上梁９２の横方向Ｈの相対的な変位が減衰されることになる。
【００４９】
摩擦ダンパ１によれば、摩擦部材９の基材がエキスパンドメタル又は金網６２からなる網状体であって、摩擦部材９の滑り層６３がエキスパンドメタル又は金網６２の網目６１を充填して当該エキスパンドメタル又は金網６２の一方の面に形成され、斯かる滑り層６３がロッド７とその軸方向Ｘに摺動自在に接触するように円筒部８の径方向の内周面側に配されているために、ロッド７の本体部８５との間での摩耗を極力避け得て安定な本体部８５と円筒部８との所望の摩擦を得ることができる上に滑り層６３の剥離を避けることができ、而して、長期に亘って安定な減衰特性を得ることができる。
【００５０】
また摩擦ダンパ１によれば、締め付け手段１２により摩擦部材９の円筒部８をロッド７の本体部８５に最適に調節して締め付けることができるために、簡単な作業で横方向Ｈに相対変位する上梁９２及び下梁３８に対して最適な摩擦抵抗を得ることができる。
【００５１】
加えて摩擦ダンパ１によれば、三個の摩擦部材９、１０及び１１でもって変位エネルギを吸収するようになるために、摩擦部材９、１０及び１１の夫々の負荷を低減できる結果、これによっても長期に亘って安定な減衰特性を得ることができる。
【００５２】
更に摩擦ダンパ１によれば、摩擦部材９、１０及び１１の夫々が鍔部５１において隣接する支持体４及び５並びに支持体６及び蓋体２５に挟まれて基体２に対するロッド７の軸方向Ｘの相対的な移動に対して不動に固定されているために、摩擦部材９、１０及び１１の夫々をしっかりと固定できて、支持体４、５及び６に対して摩擦部材９、１０及び１１がずれるような不都合をなくし得る。
【００５３】
ロッド７の本体部８５の径１２ｍｍ、摩擦部材９、１０及び１１の滑り層６３の摩擦力２００Ｎの摩擦ダンパ１を製作して、斯かる摩擦ダンパ１において、ロッド７を基体２に対して軸方向Ｘに約±３０ｍｍの相対変位を０．０５Ｈｚで３回繰り返して荷重−変位特性を測定した結果を図８に示す。
【００５４】
なお、上記の支持体４は、貫通孔３とスリット４１とを有して一体形成されているが、これに代えて、図９及び図１０に示すように、貫通孔３を形成する半円孔１０１及び１０２を夫々が有する二分割体１０３及び１０４から支持体４を構成して、二分割体１０３及び１０４により貫通孔３を縮径自在になるようにしてもよい。図９及び図１０に示す二分割体１０３及び１０４からなる支持体４では、一方の分割体１０３を基体２の長尺部材３５にねじ１０５により固着し、他方の分割体１０４を、半円孔１０２が半円孔１０１に対面するようにして筒体２１内に移動自在に配し、斯かる支持体４に対する締め付け手段１２は、二分割体１０３及び１０４間の隙間１０６の幅を縮小できるように、分割体１０４の二つのねじ挿入孔４３の夫々を介して支持体５の分割体１０４に挿入されて支持体５の分割体１０３の二つの雌ねじ孔４２に夫々螺合した二つのボルト８１を有している。
【００５５】
図９及び図１０に示すような支持体４を具備した摩擦ダンパ１でも、前記と同様の効果を奏し得る。
【００５６】
上記の摩擦ダンパ１では、支持体４を直接に摩擦部材９の円筒部８に接触させて円筒部８をロッド７の本体部８５に締め付けたが、これに代えて、図１１及び図１２に示すように、スリット１１１を有して縮径自在になっていると共にゴム板、銅板又はエンボス板からなる円筒状の可変形部材１１２を支持体４の二分割体１０３及び１０４と摩擦部材９の円筒部８との間に介在させて、支持体４を介する締め付け手段１２による円筒部８の本体部８５への締め付けを更に可変形部材１１２を介して行うようにしてもよく、ゴム板、銅板又はエンボス板からなって径方向に関しての多少の変形、具体的には径方向の多少の厚みの変更を弾性的に許容する可変形部材１１２を支持体４と摩擦部材９の円筒部８との間に介在させることにより、摩擦部材９等のクリープ変形に対し、可変形部材１１２の弾性変形で対応させることができる結果、円筒部８を本体部８５に均一に押し付け接触させることができ、而して、全体的に亘って適切な摩擦抵抗を得ることができることになる。
【００５７】
図１１及び図１２に示す例では、一つの可変形部材１１２を支持体４と円筒部８との間に介在させているが、複数の可変形部材１１２を互いに重ね合わせて、斯かる複数の可変形部材１１２を支持体４と円筒部８との間に介在させてもよい。
【００５８】
また、上記の摩擦部材９は、円筒部８と鍔部５１とを有すると共にスリット７３により縮径自在になって一体に形成されているが、これに代えて、図１３及び図１４示すように、半円筒部１２１と半円筒部１２１に一体的に形成された半鍔部１２２とからなる分割体１２３及び半円筒部１３１と半円筒部１３１に一体的に形成された半鍔部１３２とからなる分割体１３３を有して摩擦部材９を構成し、半円筒部１２１と半円筒部１３１とで構成される円筒部８を斯かる二分割体１２３及び１３３にして縮径自在となるようにしてもよい。
【００５９】
可変形部材１１２もまた、図１３及び図１４示すように、二分割体１４１及び１４２から構成して、二分割体１４１及び１４２により縮径自在になるようにしてもよく、分割体１４１は分割体１０３と半円筒部１２１との間に、分割体１４２は分割体１０４と半円筒部１３１との間に夫々介在されている。
【００６０】
加えて図２及び図９等に示すように、ロッド７の本体部８５は、外周面に円筒面を有した中実の部材からなっていてもよいが、これに代えて、図１３に示すようにロッド７の本体部８５は、中空の部材、即ち管部材からなっていてもよい。
【００６１】
【発明の効果】
本発明によれば、簡単な構成であって、しかも、摩耗及び滑り層の剥離を極力低減できて、而して長期に亘って安定な減衰特性を得ることができる摩擦ダンパを提供することができる。
【図面の簡単な説明】
【図１】本発明の実施の形態の好ましい例の正面断面図である。
【図２】図１に示す例のＩＩ−ＩＩ線矢視断面図である。
【図３】図１に示す例の支持体の断面説明図である。
【図４】図１に示す例の摩擦部材の斜視図である。
【図５】図１に示す例の一部を破断した底面図である。
【図６】図１に示す例の摩擦部材の説明図である。
【図７】図１に示す例を戸建住宅に用いた例の説明図である。
【図８】図１に示す例の荷重−変位特性図である。
【図９】図１に示す例において支持体の他の例を用いた断面説明図である。
【図１０】図９に示す支持体の他の例の断面説明図である。
【図１１】本発明の実施の形態の好ましい他の例の断面図である。
【図１２】図１１に示す可変形部材の斜視図である。
【図１３】本発明の実施の形態の好ましい更に他の例の断面図である。
【図１４】図１３に示す摩擦部材及び可変形部材の斜視図である。
【符号の説明】
１  摩擦ダンパ
２  基体
３  貫通孔
４、５、６  支持体
７  ロッド
８  円筒部
９、１０、１１  摩擦部材
【図１】
0004366935.tif 000002
【図２】
0004366935.tif 000003
【図３】
0004366935.tif 000004
【図４】
0004366935.tif 000005
【図５】
0004366935.tif 000006
【図６】
0004366935.tif 000007
【図７】
0004366935.tif 000008
【図８】
0004366935.tif 000009
【図９】
0004366935.tif 000010
【図１０】
0004366935.tif 000011
【図１１】
0004366935.tif 000012
【図１２】
0004366935.tif 000013
【図１３】
0004366935.tif 000014
【図１４】
0004366935.tif 000015